(57)【要約】【課題】紙の無駄をなくし、コストの削減を進めるとともに、資源環境への配慮ができ、また、情報収集に有効な設問資料を低コストで記入者に提供でき、より目的に沿った情報を収集する。【解決手段】印刷された設問欄と回答記入欄が切り抜かれた開口部とを有する情報収集用紙。【選択図】図４
2018069560.tif 000002
【特許請求の範囲】
【請求項１】
印刷された設問欄と回答記入欄が切り抜かれた開口部とを有する情報収集用紙。
【請求項２】
耐久性の材料で作製されてなる請求項１に記載の情報収集用紙。
【請求項３】
複数枚の請求項１または２記載の情報収集用紙からなり、各用紙の回答記入欄が、該切り抜かれた開口部が各々重複しないように配置されている情報収集用紙セット。
【請求項４】
請求項１〜３のいずれかに記載の情報収集用紙と記入用紙と記入台からなる記入型情報収集キット。
【発明の詳細な説明】
【技術分野】
【０００１】
本発明は、アンケートに代表される記入型の情報収集用紙に関する。さらに詳しくは、情報収集用の紙（アンケート用紙）の枚数を大幅に削減できると共に、アンケート用紙に画像などの情報を多数掲載できる情報収集用紙に関する。
【背景技術】
【０００２】
一般消費者、セミナーへの参加者、イベントでの体験者などから色々な情報を収集するためにアンケートを取ることはよく行なわれている。このアンケートは、最近では電子機器端末（タブレット等）を用いて迅速に情報を収集するタイプも出てきているが、手軽さから、やはり多くの場合、予め聞きたい事を印刷した紙を配布し、筆記具で記入してもらうタイプのものが主流である。
また、質問が記載された台紙と、前記質問に対する回答を行うために前記台紙に設けられた切り込み部とを具備する筆記具を使わないアンケート用紙も提案されている（特許文献１）。
【０００３】
しかし、紙ベースのアンケートの場合、用紙が不足する事態を回避するため、一般に、予め予想枚数以上の印刷したアンケート用紙を用意している。ということは、予想数に達したとしても使用しなかったアンケート用紙が残ることになる。同じ内容で次回にも使用できる場合は、使い回しすればよいが、１回限りのイベントやセミナー等でのアンケートでは、不使用分は無駄になる。
【０００４】
また、紙ベースの記入型アンケートの場合、綺麗な商品や風景等のイメージを記入者に見てもらいたくても、コストの面からアンケート用紙へのカラー印刷を断念しているのが現状である。
【先行技術文献】
【特許文献】
【０００５】
【特許文献１】特開２００６−１３７００９号公報
【発明の概要】
【発明が解決しようとする課題】
【０００６】
本発明は、アンケート用紙の無駄を完全に回避し、現実の参加者の数に必要な回答用紙で情報収集が可能な情報収集用紙を提供することを目的とする。これにより、紙の無駄をなくし、コストの削減を進めるとともに、資源環境への配慮ができる。
【０００７】
また、本発明は、カラー情報などを多数掲載できる情報収集用紙を提供することを目的とする。これにより、情報収集に有効な設問資料を低コストで記入者に提供でき、より目的に沿った情報を収集することができる。
【課題を解決するための手段】
【０００８】
本発明の情報収集用紙は、回答記入用の用紙と別の用紙として提供する点に特徴がある。すなわち、本発明は、印刷された設問欄と回答記入欄が切り抜かれた開口部とを有する情報収集用紙に関する。
【０００９】
情報収集用紙は、耐久性の材料で作製されてなることが好ましい。
【００１０】
また、本発明は、複数枚の本発明の情報収集用紙からなり、各用紙の回答記入欄が、該切り抜かれた開口部が各々重複しないように配置されている情報収集用紙セットに関する。
【００１１】
本発明はまた、上記の情報収集用紙またはセットと記入用紙と記入台とからなる記入型情報収集キットに関する。
【発明の効果】
【００１２】
本発明の情報収集用紙によれば、紙の無駄をなくし、コストの削減を進めるとともに、資源環境への配慮ができ、また、情報収集に有効な設問資料を低コストで記入者に提供でき、より目的に沿った情報を収集することができる。
【図面の簡単な説明】
【００１３】
【図１】たとえばアンケートに代表される本発明の一実施形態に係る情報収集用紙の平面図である。
【図２】たとえばクリップボードに代表される記入用台の平面図である。
【図３】記入用台に情報収集用紙を取り付けた例の概略断面図である。
【図４】情報収集用紙と記入用紙を記入台にセットし、回答を記入したときの平面図である。
【図５】記入した記入済み用紙の平面図である。
【図６】２頁目の情報収集用紙に記入した時の平面図である。
【図７】１頁目と２頁目の回答が記入された記入済み用紙の平面図である。
【発明を実施するための形態】
【００１４】
本発明が対象とする情報収集用紙は、アンケートに代表されるが、これのみに限定されるものではなく、機械、医療などの各種の検査試験情報の収集なども含まれる。
以下、アンケートに代表して説明する。
【００１５】
図１〜図５に基づき、本発明の第１の実施形態を説明する。
図１はアンケートに代表される情報収集用紙の平面図である。図１において、１は情報収集用紙（アンケート用紙）であり、設問が設問欄２に印刷されている。本発明の特徴は、回答記入欄が切り抜かれた開口部３とされている点にある。
【００１６】
この情報収集用紙１は、図２に示される記入台５に着脱可能に固定され、記入台５と情報収集用紙１の間のスペース８（図３参照）に記入用紙９（図４）が挿入される。
このように、記入用紙９と情報収集用紙１には別々の紙が使用される。
【００１７】
情報収集用紙１には設問に必要な事項のみが記載される。
従来は、すべてのアンケート用紙に設問事項を印刷しなければならなかったため、カラー印刷が必要な事項はコストの面から掲載できなかった。
しかし、本発明では情報収集用紙１と記入用紙９は分けられているので、色見本４ａ（図１）や写真４ｂ（図１）なども印刷することができ、より一層、正確な情報が収集しやすくなる。
情報収集用紙１はカバー用紙として使用するので、耐久性のある紙やフィルムが好ましい。
たとえば、印刷用のラベルシートとして市販されている加工紙が特に好ましい。このようなラベルシートには直接カラー印刷が可能であり、色サンプル４ａ（図１）や写真４ｂ（図１）なども盛り込むことができる。
そのほか、普通紙に印刷し、ラミネート加工してもよい。
このように、印刷と加工が専門の印刷業者に依頼しなくても、家庭用やオフィス用のプリンターで十分対応できるので、細かな事態に対応可能である。
【００１８】
記入用紙９としては基本的には無地（白紙など）の用紙が使用される。色は、出来れば情報収集用紙１の紙色とは別の色にしておくと、開口部３を目立たせることができ、記入しやすくなる。
紙質としては印刷が特に不要なので、比較的安価な紙を使用でき、コスト削減が可能となる。
記入用紙９は、記入面が無地であれば限定されず、社内的に使用する場合は使用済みの裏紙でもよい。
【００１９】
本発明では、たとえば図２に示す記入台５を使用して記入する。記入台５としてはクリップボードが好ましい。
また、情報収集用紙１を固定するクリップ６のほか、記入用紙９を挿入保持しやすくするために、両側にガイド７を設けることが、情報収集用紙１の回答欄と記入用紙９との位置決めを容易にできる点から好ましい。
記入用紙９は、図３に示すように、記入台５と情報収集用紙１の間のスペース８に挿入される。
【００２０】
つぎに、本発明の情報収集用紙を使用しての情報収集方法を説明する。
まず、情報収集用紙１を記入台５にセットし、無地の記入用紙９を記入台５と情報収集用紙１の間のスペース８に挿入する（図３、図４参照）。
記入者は、情報収集用紙１の設問欄２を読み、画像４ａ、４ｂを参考にしながら、開口部３からなる回答欄に記入する。
記入が済むと、回答用紙９を記入台５から抜き出す。図５に記入済みの記入用紙９を示す。図５に示すように、記入用紙９を見ただけでは第３者には情報が漏れることは少ない。
【００２１】
記入された情報の分析は、記入済みの記入用紙９をたとえば図４に示すようにセットされた情報収集用紙１の下のスペース８に挿入することにより、設問欄と照合でき、情報を取り出すことができる。
図示していないが、照合用のシートを別途作製し、必要な情報のみを即座に収集できるようにしてもよい。
【００２２】
本発明の情報収集用紙を使用した収集は、２頁以降についても１枚の記入用紙で同様に可能である。この第２の実施態様を図６〜７に従って説明する。
【００２３】
図６に、回答欄に記入済みになっている２頁目の情報収集用紙１０を示す。
２頁目以降の情報収集用紙１０は、その回答欄の開口部１１が、１頁目の開口部３と重複しないように配置されている。
したがって、２頁目の回答１２は、１頁目の回答が記入された記入用紙９の図７に破線で囲んだ部分に記入される。２頁目の回答の読み取りは、情報収集用紙１０を用いて１頁目と同様に行われる。
このように、回答欄の開口部が重ならない限り、複数頁の情報収集が１枚の記入用紙で可能になる。
各頁の開口部が重ならないように設問欄や回答欄を配置するには、たとえば専用の印刷用のテンプレートを作成することにより、容易に行うことができる。
【００２４】
なお、記入台５について、クリップボードを代表例として説明したが、専用の記入台を作製してもよい。
また、回答欄の開口部３を切り抜く手段として、スタンプタイプの抜型を使用すれば簡単かつ早く開口部を形成できる。
【００２５】
本発明の情報収集用紙等を用いることにより、アンケートに応じてくれる人数が把握できない場合でも、少ない数の情報収集用紙で記入者の数だけの記入用紙で済むため無駄がなく、大幅なコスト削減ができる。
また、人数が予想を超える場合でも、白紙の記入用紙を用意しておくだけで対応できる。
さらに、高品質な印刷を情報収集用紙に施すことができるので、より質の高い情報を収集できる。
【００２６】
その他、本発明の趣旨を損なわない限り、当業者にとって自明な範囲での変更・変形が可能であり、それらも本発明の範囲に属する。
【符号の説明】
【００２７】
１    情報収集用紙
２    設問欄
３    開口部
４ａ  色見本
４ｂ  写真
５    記入台
６    クリップ
７    ガイド
８    スペース
９    記入用紙
１０  情報収集用紙（２頁目）
１１  開口部（２頁目）
１２  ２頁目の回答
【図１】
2018069560.tif 000003
【図２】
2018069560.tif 000004
【図３】
2018069560.tif 000005
【図４】
2018069560.tif 000006
【図５】
2018069560.tif 000007
【図６】
2018069560.tif 000008
【図７】
2018069560.tif 000009